(57)【要約】【課題】アンテナ入力用高周波コネクタの挿抜応力がプリント基板に直接加わらないようにし、且つ薄型化を可能にしたＴＶ受像機を構成する。【解決手段】ＴＶ受像機の前面パネル６１と背面パネル６２との間にプリント基板７０を平行に配置する。Ｆ型コネクタレセプタクル５１は背面パネル６２に取り付ける。プリント基板７０には、表面実装型チューナＩＣ７１と導通する同軸コネクタレセプタクル７３を表面実装する。Ｆ型コネクタレセプタクル５１には、端部に基板側同軸コネクタ５３を取り付けた同軸ケーブル５２を接続する。この基板側同軸コネクタ５３は、プリント基板７０に実装された同軸コネクタレセプタクル７３に装着する。【選択図】図３
2010004427.tif 000002
【特許請求の範囲】
【請求項１】
表示部を有する前面パネルと、当該前面パネルに対して平行な背面パネルを備え、前記前面パネルと前記背面パネルとの間に、複数の電子部品が表面実装されたプリント基板が配置されたＴＶ受像機において、
前記プリント基板に表面実装型チューナＩＣが表面実装されるとともに、当該表面実装型チューナＩＣと電気的に接続されるコネクタが表面実装され、
前記背面パネルにアンテナ入力用高周波コネクタが取り付けられ、
前記プリント基板上の前記コネクタと前記アンテナ入力用高周波コネクタとが同軸ケーブルで接続されたことを特徴とするＴＶ受像機。
【請求項２】
信号線の上下面をアース層で挟んだ多層構造のＦＰＣケーブルを前記同軸ケーブルに代えて配置した、請求項１に記載のＴＶ受像機。
【発明の詳細な説明】
【技術分野】
【０００１】
この発明は、液晶ＴＶ受像機、プラズマＴＶ受像機等の薄型のＴＶ受像機に関する発明である。
【背景技術】
【０００２】
ブラウン管を備えていた時代には、チューナはアナログ回路で構成されていて、特許文献１に示されているように大きな金属ケースに収められた所謂ＣＡＮチューナであった。この種のチューナモジュールはプリント基板上に空いた孔にピン端子が挿入される形式で実装され、アンテナ端子との接続に用いられるアンテナ入力用高周波コネクタ（Ｆ型コネクタレセプタクル）が取り付けられた別基板がＴＶ受像機筐体の背面に配置され、Ｆ型コネクタレセプタクルとチューナモジュールの間を同軸ケーブルで繋ぐ形が一般的であった。
【０００３】
また、特許文献２に示されているように、チューナモジュール自体にＦ型コネクタレセプタクルを設け、チューナモジュールをプリント基板の端部に実装し、その状態でＦ型コネクタレセプタクルをＴＶ受像機筐体の外部に露出させる方法なども一般的となった。
【０００４】
図１は特許文献２に示されているチューナの外観斜視図である。チューナモジュール１２１は、地上ディジタル放送波、ＢＳ放送、ＣＳ放送などから所望のチャンネルを選局するチューナモジュールであり、同軸コネクタレセプタクル１３１、回路基板１３２がシールドケース１３３内に収容されている。チューナモジュール１２１は、実装先基板に、シールドケース１３３及び信号ピン１３４を半田付けすることによって固定される。
【０００５】
同軸コネクタ１３１は、ＴＶシャーシの背面から外部に延出する。同軸コネクタ１３１には、一端がアンテナに接続された同軸ケーブルが接続される。同軸コネクタ１３１はそのシールド線がシールドケース１３３に接続され、その信号線が回路基板１３２に接続される。
【特許文献１】特開平１０−３３４６５２号公報
【特許文献２】特開２００７−３２４８５８号公報
【発明の開示】
【発明が解決しようとする課題】
【０００６】
ところで、近年テレビ放送がディジタル化され、それに伴ってダイレクトコンバージョン方式や低ＩＦ方式といった、新たな受信回路アーキテクチャが採用されている。それに伴い、チューナも従来の金属ケースに収納された大型なものから、ＳＭＤ（表面実装型）チューナが採用されようとしている。
【０００７】
また、近年の薄型ＴＶ受像機においては、前面パネルの背面側にプリント基板を配置しているが、ＴＶ受像機全体の厚みを極力薄くすることが求められている。そのためには、内蔵されるプリント基板には薄型化に有利なＳＭＤ部品が使われている。チューナについても例外ではなく、プリント基板に対して表面実装することは薄型化に対して有効である。
一方、アンテナ入力用高周波コネクタのレセプタクル（Ｆ型コネクタレセプタクル）は背面パネルの所定箇所に露出させることになる。
【０００８】
しかし、特許文献２に示されているような、Ｆ型コネクタレセプタクルを備えたチューナモジュールを表面実装タイプにしてプリント基板に表面実装すると、そのチューナモジュールのＦ型コネクタレセプタクルに対してアンテナ入力用同軸ケーブルを挿抜した際に、その応力がＦ型コネクタレセプタクルに直接掛かり、表面実装のための半田付け部が剥がれるおそれが生じる。
【０００９】
そこで、この発明の目的は、アンテナ入力用高周波コネクタの挿抜応力がプリント基板に直接加わらないようにして信頼性を確保するとともに薄型化を可能にしたＴＶ受像機を提供することにある。
【課題を解決するための手段】
【００１０】
前記課題を解決するために、この発明は次のように構成する。
（１）表示部を有する前面パネルと、当該前面パネルに対して平行な背面パネルを備え、前記前面パネルと前記背面パネルとの間に、複数の電子部品が表面実装されたプリント基板が配置されたＴＶ受像機において、
前記プリント基板に表面実装型チューナＩＣが表面実装されるとともに、当該表面実装型チューナＩＣと電気的に接続されるコネクタが表面実装され、
前記背面パネルにアンテナ入力用高周波コネクタが取り付けられ、
前記プリント基板上の前記コネクタと前記アンテナ入力用高周波コネクタとが同軸ケーブルで接続されたことを特徴とする。
【００１１】
（２）信号線の上下面をアース層で挟んだ多層構造のＦＰＣケーブルを前記同軸ケーブルに代えて配置する。
【発明の効果】
【００１２】
この発明によれば、薄型ＴＶ受像機において、厚みを増すことなく、アンテナ入力端子の挿抜応力がプリント基板上に実装されたコネクタに直接掛からないようにできる。
【００１３】
また、同軸ケーブルでなく、多層構造のフレキシブルケーブルを用いることにより、より一層の薄型化が可能となり、且つアンテナ入力用高周波コネクタと表面実装型チューナＩＣの配置関係における自由度が増す。
【発明を実施するための最良の形態】
【００１４】
《第１の実施形態》
図２は第１の実施形態に係るＴＶ受像機を、その背面側から見た斜視図である。ＴＶ受像機１０１は、表示部を有する前面パネルと、前面パネルに対して平行な背面パネル６２を備え、前面パネルと背面パネル６２との間にＴＶ受像機の回路を構成するプリント基板を配置している。
【００１５】
背面パネル６２にはアンテナ入力用高周波コネクタであるＦ型コネクタレセプタクル５１を突出させている。
【００１６】
図３は第１の実施形態に係るＴＶ受像機の内部に配置したプリント基板と背面パネルに取り付けたＦ型コネクタレセプタクル５１との関係を示す部分断面図である。プリント基板７０は、表示部を有する前面パネル６１と背面パネル６２との間にそれらに対して平行に配置している。
【００１７】
プリント基板７０には、その両面に表面実装型の電子部品７２を表面実装している。表面実装型チューナＩＣ７１は背面パネル６２側の面に表面実装している。また同様に背面パネル６２側の面に、アンテナからの信号を入力して表面実装型チューナＩＣ７１へ与える同軸コネクタレセプタクル７３を表面実装している。
【００１８】
背面パネル６２には、その外面方向へ突出するようにＦ型コネクタレセプタクル５１を取り付けている。このＦ型コネクタレセプタクル５１には同軸ケーブル５２の一端を接続していて、同軸ケーブル５２の他端に基板側同軸コネクタ５３を取り付けている。この基板側同軸コネクタ５３は、プリント基板７０に実装された同軸コネクタレセプタクル７３に装着する。
【００１９】
プリント基板７０は前面パネル６１側に取り付けていて、図２に示したＴＶ受像機１０１を組み立てる際や修理を行う際に、前面パネル６１側にプリント基板７０が取り付けられた状態で背面パネル６２を着脱することになる。
背面パネル６２の装着時には、背面パネル６２に、基板側同軸コネクタ５３及び同軸ケーブル５２を接続したＦ型コネクタレセプタクル５１を取り付けた後、まず基板側同軸コネクタ５３を同軸コネクタレセプタクル７３に装着し、背面パネル６２を前面パネル６１周囲の取り付け部に取り付けることになる。
【００２０】
また、背面パネル６２の取り外し時には、背面パネル６２の周囲の取り付け部を取り外し、前面パネル６１に対して所定角度範囲内でプリント基板７０と背面パネル６２との間を開口させた状態で基板側同軸コネクタ５３を同軸コネクタレセプタクル７３から取り外す。その後、背面パネル６２全体を前面パネル６１及びプリント基板７０から完全に取り外すことになる。
【００２１】
このようにＦ型コネクタレセプタクル５１を背面パネル６２に直接取り付け、アンテナからの信号を受けるコネクタをチューナとは別にプリント基板７０に取り付け、その間を同軸ケーブル５２で接続するように構成したことにより、Ｆ型コネクタレセプタクル５１に対するアンテナケーブルの挿抜による応力がチューナ（この例では表面実装型チューナＩＣ７１）及びプリント基板７０に掛らない。そのため、チューナ及びプリント基板７０のストレスによる断線や破壊が防止でき、ＴＶ受像機の信頼性が大幅に高まる。
【００２２】
またチューナは表面実装型チューナＩＣであって、プリント基板７０に表面実装できるので、全体により薄型化できる。なお、表面実装型チューナＩＣ７１と複数の表面実装型電子部品７２をモジュール化したものがプリント基板７０上に実装される形でも良い。
【００２３】
さらにプリント基板７０とＦ型コネクタレセプタクル５１とが同軸ケーブル５２でのみ電気的に接続されているので、同軸ケーブル５２の引回しによって、Ｆ型コネクタレセプタクル５１の取り付け位置の自由度が大幅に高まる。
【００２４】
《第２の実施形態》
図４は第２の実施形態に係るＴＶ受像機の主要部の断面図である。第１の実施形態で図３に示した構成と異なるのは、プリント基板とＦ型コネクタとの接続構造である。図４に示す例では、プリント基板７０の背面パネル６２側の面にＦＰＣ（フレキシブルプリント基板）コネクタ８３を設け、Ｆ型コネクタレセプタクル８１側にＦＰＣコネクタ８４を設け、ＦＰＣコネクタ８３−８４間をＦＰＣ（フレキシブルプリント基板）ケーブル８２を介して接続している。このＦＰＣケーブル８２は、信号線の上下面をアース層で挟んだ多層構造のケーブルであり、信号線が同軸ケーブルの中心導体、アース層が同軸ケーブルの外導体にそれぞれ相当して、簡易的な同軸ケーブルとして作用する。
【００２５】
このようにＦＰＣケーブル８２を用いることにより、より一層の薄型化が可能となる。また、このＦＰＣケーブル８２とＦ型コネクタレセプタクル８１後面のＦＰＣコネクタ８４とを着脱することもできるので、背面パネル６２の着脱時の操作性が向上する。
【００２６】
《第３の実施形態》
図５は第３の実施形態に係るＴＶ受像機の主要部の断面図である。この例では、プリント基板７０の前面パネル６１側の面に表面実装型チューナＩＣ７１を表面実装している。一方、アンテナからの信号を受ける同軸コネクタレセプタクル７３は背面パネル６２側の面に表面実装していて、この同軸コネクタレセプタクル７３と表面実装型チューナＩＣ７１とはスルーホール（ビア電極）７４を介して電気的に接続している。その他の構成は、第１の実施形態で図３に示したものと同様である。
【００２７】
このように表面実装型チューナＩＣ７１を前面パネル６１側の面に表面実装することにより、背面パネル６２側の面に対する各種電子部品の配置の自由度が高まる。すなわち、アンテナからの信号を受ける同軸コネクタレセプタクル７３は表面実装型チューナＩＣ７１とは独立して配置できるので、表面実装型チューナＩＣ７１の配置位置の自由度が高まり、その分プリント基板７０の小型化が容易となる。
【００２８】
《第４の実施形態》
図６は第４の実施形態に係るＴＶ受像機を、その背面側から見た斜視図である。第１〜第３の実施形態の場合と同様に、ＴＶ受像機１０２は、表示部を有する前面パネルと、前面パネルに対して平行な背面パネル６２を備え、前面パネル６１と背面パネル６２との間にＴＶ受像機の回路を構成するプリント基板を配置している。但し、この第４の実施形態ではＦ型コネクタレセプタクル５１を、前面パネル６１とプリント基板７０との間に配置している。そして、Ｆ型コネクタレセプタクル５１はＴＶ受像機１０２の側方に突出するように取り付ける。
【００２９】
図７は第４の実施形態に係るＴＶ受像機の内部に配置したプリント基板と背面パネルに取り付けたＦ型コネクタレセプタクル５１との関係を示す部分断面図である。プリント基板７０は、表示部を有する前面パネル６１と背面パネル６２との間にそれらに対して平行に配置している。
【００３０】
この例では表面実装型チューナＩＣ７１をプリント基板７０の背面パネル６２側の面に実装していて、同軸コネクタレセプタクル７３をプリント基板７０の前面パネル６１側の面に表面実装している。この同軸コネクタレセプタクル７３と表面実装型チューナＩＣ７１とはスルーホール（ビア電極）７４を介して電気的に接続している。Ｆ型コネクタレセプタクル５１と基板側同軸コネクタ５３及び同軸ケーブル５２は予め接続していて、Ｆ型コネクタレセプタクル５１は背面パネル６２の側部に取り付けておく。
【００３１】
プリント基板７０は背面パネル６２側に取り付けているので、背面パネル６２の着脱時には、基板側同軸コネクタ５３及び同軸ケーブル５２を接続したＦ型コネクタレセプタクル５１を背面パネル６２に取り付け、基板側同軸コネクタ５３を同軸コネクタレセプタクル７３に装着した状態で取り扱うことになる。
【００３２】
なお、以上に示した各実施形態では、プリント基板の両面に表面実装型電子部品を実装したが、プリント基板の片面にのみ電子部品を実装するタイプにも適用できる。
【図面の簡単な説明】
【００３３】
【図１】特許文献２に示されているチューナの外観斜視図である。
【図２】第１の実施形態に係るＴＶ受像機を、その背面側から見た斜視図である。
【図３】第１の実施形態に係るＴＶ受像機の内部に配置したプリント基板と背面パネルに取り付けたＦ型コネクタレセプタクル５１との関係を示す部分断面図である。
【図４】第２の実施形態に係るＴＶ受像機の主要部の断面図である。
【図５】第３の実施形態に係るＴＶ受像機の主要部の断面図である。
【図６】第４の実施形態に係るＴＶ受像機を、その背面側から見た斜視図である。
【図７】第４の実施形態に係るＴＶ受像機の内部に配置したプリント基板と背面パネルに取り付けたＦ型コネクタレセプタクル５１との関係を示す部分断面図である。
【符号の説明】
【００３４】
５１，８１…Ｆ型コネクタレセプタクル（アンテナ入力用高周波コネクタレセプタクル）
５２…同軸ケーブル
５３…基板側同軸コネクタ
６１…前面パネル
６２…背面パネル
７０…プリント基板
７１…表面実装型チューナ
７２…電子部品
７３…同軸コネクタレセプタクル
８２…ＦＰＣケーブル
８３，８４…ＦＰＣコネクタ
１０１，１０２…ＴＶ受像機
【図１】
2010004427.tif 000003
【図２】
2010004427.tif 000004
【図３】
2010004427.tif 000005
【図４】
2010004427.tif 000006
【図５】
2010004427.tif 000007
【図６】
2010004427.tif 000008
【図７】
2010004427.tif 000009